(57)【要約】      （修正有）【課題】  広告主側にとって集客効果が上がると予想する任意の場所にいる人に対して、タイミングよく広告情報などの提供情報を送信する提供情報表示システムを提供する。【解決手段】  電信柱に備えられた電波発信装置と、電波発信装置から発信された電波を受信する携帯端末からなる提供情報表示システムであって、電波発信装置は、電信柱を特定する固有情報が記憶された記憶手段と、固有情報を電波で発信する発信手段とを有し、携帯端末は、表示手段と、携帯端末の所持者に提供するための提供用情報と、該提供用情報と関係付けされた固有情報とが記憶された記憶手段と、電波発信装置から発信された固有情報を受信する受信手段と、記憶手段に記憶された提供用情報の中から、受信手段で受信した固有情報と関係付けされた提供用情報を、表示手段に表示させる手段とを備えている。【選択図】        図１
2006171491.tif 000002
【特許請求の範囲】
【請求項１】
電信柱に備えられた電波発信装置と、前記電波発信装置から発信された電波を受信する携帯端末と、からなる提供情報表示システムであって、
前記電波発信装置は、前記電信柱を特定する固有情報が記憶された記憶手段と、前記固有情報を電波で発信する発信手段とを有し、
前記携帯端末は、表示手段と、前記携帯端末の所持者に提供するための提供用情報と、該提供用情報と関係付けされた前記固有情報とが記憶された記憶手段と、前記電波発信装置から発信された固有情報を受信する受信手段と、前記記憶手段に記憶された提供用情報の中から、前記受信手段で受信した固有情報と関係付けされた提供用情報を、前記表示手段に表示させる手段とを備えていることを特徴とする提供情報表示システム。
【請求項２】
電信柱に備えられた電波発信装置と、前記電波発信装置から発信された電波を受信する携帯端末と、からなる提供情報表示システムであって、
前記電波発信装置は、前記携帯端末の所持者に提供するための提供用情報が記憶された記憶手段と、前記提供用情報を電波で発信する発信手段とを有し、
前記携帯端末は、表示手段と、前記電波発信装置から発信された提供用情報を受信する受信手段と、前記受信手段で受信した提供用情報を、前記表示手段に表示させる手段とを備えていることを特徴とする提供情報表示システム。
【請求項３】
前記提供用情報が、広告情報であることを特徴とする請求項１または請求項２に記載の提供情報表示システム。
【請求項４】
前記広告情報が、前記電信柱に備えられた場所の近辺で開業する店舗に関する情報であることを特徴とする請求項１または請求項２に記載の提供情報表示システム。
【請求項５】
前記電波発信装置が、電信柱に巻きつけて設置した広告用看板に設けられていることを特徴とする請求項１または請求項２に記載の提供情報表示システム。
【発明の詳細な説明】
【技術分野】
【０００１】
本発明は、携帯電話機などの携帯端末を所持している者が、電信柱が設置されている場所付近を通過した際に、予め定められた情報をその携帯端末の表示画面に表示させることで情報提供を行なえるようにした提供情報表示システムに関する。
【背景技術】
【０００２】
携帯電話機に広告情報を送信することで、ユーザーに広告提供を行なう技術は、既に知られている。
これら従来の携帯電話機を用いた広告提供のシステムでは、予め広告情報を情報管理サーバのデータベースに登録させておき、広告提供手段である複数の基地局の通信を中継する交換局が、これらの広告情報を基地局経由で携帯電話機に送信して、携帯電話機のディスプレイに表示させることで情報提供を行なうというものである。
【０００３】
上記の携帯電話機を用いた広告提供システムでは、広告情報を配信するサーバ側の広告情報データベースに広告情報を一元化して登録し、広告情報データベースに基づいて、広告情報の配信を行なうためにシステム構築に高額なコストや大がかりな設備が必要となるという問題がある。
また、広告により集客効果を高めるためには、広告を行なう広告主の店舗の近くにいる人に対してタイミングよく広告情報を提供することが重要であるが、従来のシステムでは、広告情報を受け取る側の受信者が、必ずしも広告主の店舗の近くにいるか否かに関係なく広告情報を受信するために、せっかく広告情報の送信を行なっても集客効果があまり期待できないという問題がある。
【特許文献１】特開２０００−２２４６５８号公報
【発明の開示】
【発明が解決しようとする課題】
【０００４】
本発明は、広告情報の配信を行なうために高額なコストをかけたり、また大がかりな設備及びシステム構築を行なうことなく情報の提供をすることができ、また、広告主側にとって集客効果が上がると予想する任意の場所にいる人に対して、タイミングよく広告情報などの提供情報を送信することができる提供情報表示システムを提供する。
【課題を解決するための手段】
【０００５】
本発明の提供情報表示システムは、電信柱に備えられた電波発信装置と、前記電波発信装置から発信された電波を受信する携帯端末と、からなる提供情報表示システムであって、前記電波発信装置は、前記電信柱を特定する固有情報が記憶された記憶手段と、前記固有情報を電波で発信する発信手段とを有し、前記携帯端末は、表示手段と、前記携帯端末の所持者に提供するための提供用情報と、該提供用情報と関係付けされた前記固有情報とが記憶された記憶手段と、前記電波発信装置から発信された固有情報を受信する受信手段と、前記記憶手段に記憶された提供用情報の中から、前記受信手段で受信した固有情報と関係付けされた提供用情報を、前記表示手段に表示させる手段とを備えていることを特徴とする。
【０００６】
また、本発明の提供情報表示システムは、電信柱に備えられた電波発信装置と、前記電波発信装置から発信された電波を受信する携帯端末と、からなる提供情報表示システムであって、前記電波発信装置は、前記携帯端末の所持者に提供するための提供用情報が記憶された記憶手段と、前記提供用情報を電波で発信する発信手段とを有し、前記携帯端末は、表示手段と、前記電波発信装置から発信された提供用情報を受信する受信手段と、前記受信手段で受信した提供用情報を、前記表示手段に表示させる手段とを備えていることを特徴とする。
【０００７】
更に、本発明の提供情報表示システムは、前記提供用情報が、広告情報であることを特徴とする。
【０００８】
また、本発明の提供情報表示システムは、前記広告情報が、前記電信柱に備えられた場所の近辺で開業する店舗に関する情報であることを特徴とする。
【０００９】
更に、本発明の提供情報表示システムは、前記電波発信装置が、電信柱に巻きつけて設置した広告用看板に設けられていることを特徴とする。
【発明の効果】
【００１０】
本発明の提供情報表示システムは、通行人に対して、その通行人が現在いる場所の近くにある電信柱に備えられた電波発信装置からの送信された情報に基づいて、通行人が所持する携帯端末に所定の情報の表示を行なえるので、どこの場所にいる人に、どのような内容の情報を提供したらよいのかといった場所毎の提供情報の選択をすることが可能となり、提供用情報を受け取る人に対して、その存在場所毎に選択してタイミングよく情報を送ることができ、より高い集客効果を期待することができるという効果がある。
また、電信柱に備えられた電波発信装置と携帯端末により、提供情報の送信処理を行なえるので、従来のような高額なコストや大がかりな設備を必要としないという効果がある。
【００１１】
また、本発明の提供情報表示システムは、電信柱に備えられた電波発信装置から、その電信柱の近くを通行する人が所持する携帯端末に提供用情報を送信するので、電信柱に備えられた電波発信装置毎に異なる提供情報の送信を行なうことができ、少ないコストや設備で気軽に提供情報を送信できると共に、電信柱毎に提供情報を代えるなどして、通行人に対してその場所に応じて様々な情報の提供を行なうことができるという効果がある。
【００１２】
更に、本発明の提供情報表示システムは、提供情報を広告情報とすることで、広告主が広告を行ないたいと希望する場所を選んで、所望内容の広告の送信を行なうことができるので、高い集客効果を期待することができるという効果がある。
【００１３】
また、本発明の提供情報表示システムは、広告情報が電信柱に備えられた場所の近辺で開業する店舗に関する情報とすることで、携帯端末で広告情報を見た通行人が気軽に歩いて来店する可能性があり、高い集客効果が期待できるという効果がある。
【００１４】
更に、本発明の提供情報表示システムは、電波発信装置が電信柱に巻きつけて設置した広告用看板に設けられているので、電信柱に巻きつける広告用看板を代えることで広告内容も簡単に代えることができるという効果がある。
【発明を実施するための最良の形態】
【００１５】
以下、本発明の実施形態に係る提供情報表示システムについて、図面に基づいて詳細に説明する。
図１は、本発明の第１実施形態に係る提供情報表示システムの概要を説明する図、図２は、本発明の第１実施形態に係る提供情報表示システムのシステムブロック図、図３は、本発明の第１実施形態に係る提供情報表示システムにおいて、携帯電話機に表示した広告の一例を示す図、図４は、本発明の第１実施形態に係る提供情報表示システムの処理手順を説明するフローチャート、図５は、本発明の第２実施形態に係る提供情報表示システムのシステムブロック図である。
【００１６】
まず、本発明の第１実施形態に係る提供情報表示システムの概要を、図１に基づいて説明する。
図１に示すように、通常、道路の車道と歩道との間付近には数十メートルの間隔をおいて複数の電信柱１ａ，１ｂが設けられ、歩行者は、歩道を歩くことでこれらの複数の電信柱１ａ，１ｂの近くを自然に歩行して通過するようになっている。
これらの複数の電信柱１ａ，１ｂには、それぞれ電信柱に巻き付けるなどして広告用看板２ａ，２ｂが備え付けられている。
この広告用看板２ａ，２ｂには、種々の広告用の表示３ａ，３ｂが描かれており、更に
広告用看板２ａ，２ｂの所定部分に電波発信装置４ａ，４ｂが備えられている。
【００１７】
そして、各々の電波発信装置４ａ，４ｂからは、常時、電信柱１ａ，１ｂの近辺を歩行する携帯電話機６の所持者５が所持している携帯端末である携帯電話機６が受信可能な電波７の発信が行なわれている。
そして、携帯電話機６の所持者５が電信柱１ａ，１ｂの近辺を歩行することで、電信柱１ａ，１ｂに備えられた電波発信装置４ａ，４ｂから発信された電波７に基づいて、携帯電話機６の表示手段に広告情報を表示することで、各々の電信柱毎にその付近を歩行することで携帯電話機６の所持者５に対して、予め定めた種々の広告を見てもらえるようにしてある。
【００１８】
次に、図２のシステムブロック図に基づいて、本発明の第１実施形態に係る提供情報表示システムのシステム構成を説明する。
まず、電信柱に巻き付けられた広告用看板に備え付けられた電波発信装置４には、電波発信手段８、電力供給手段９、記憶手段１０、制御手段１１、などが備えられている。
電波発信手段８により電波が常に発信された状態となっている。
また、電力供給手段９は、電信柱に備えられた送電線１２から電力の供給を受ける機能を有している。
記憶手段１０には、電信柱を特定するための固有情報として電信柱ＩＤ情報１３が記憶されており、電波発信手段８により電信柱ＩＤ情報１３を電波で発信している。
【００１９】
また、携帯電話機６には、キー入力手段１４、表示手段１５、記憶手段１６、通信手段１７、電池１８、電波受信手段１９、表示情報抽出手段２０、音声制御手段２１、スピーカ２２、マイク２３、制御手段２４などが備えられている。
電波受信手段１９は、電波発信装置４の電波発生手段８から発信された電波を受信する機能を有している。
記憶手段１６には、予め提供用情報である広告情報が、電信柱ＩＤ情報と関係付けられて記憶されており、携帯電話機６が電波発信装置４から受信した電信柱ＩＤ情報に基づいて、この受信した電信柱ＩＤ情報に関係付けられて記憶されている提供用情報である広告情報２６を選択できるように登録されている。
また、通信手段１７は、携帯電話通信網２５により通話が行なえるように機能する。
【００２０】
表示情報抽出手段２０は、携帯電話機６が電波発信装置４から受信した電信柱ＩＤ情報から提供用情報である広告情報を抽出して表示手段１５に表示させる機能を有している。
図３には、携帯電話機の表示手段に広告情報を表示させた場合の事例が示されている。
図３に示した事例では、携帯電話機の表示手段に花屋の広告を表示させた場合が示されており、花屋の広告として、店名２７ａ、お知らせ情報２７ｂ、その店舗までの地図２７ｃが表示されている。
特に、店舗までの地図２７ｃでは、電波発信装置４が備えられた電信柱の位置を現在位置として、その現在位置から店舗までの地図が表示されており、携帯電話機の所持者がその場所に初めて訪れた人であっても、その店舗まで迷わずに行けるように表示されている。
【００２１】
次に、本発明の第１実施形態に係る提供情報表示システムの処理手順を、図４のフローチャートに基づいて説明する。
携帯電話機６の所持者５が電信柱４に近寄り、電信柱に巻き付けられた広告用看板に備えられた電波発信装置４が発信している電波の受信エリア内に入ることで、携帯電話機６がその電波を受信する。（ステップＳ１）
電波発信装置４が発信している電波には、その電信柱の電信柱ＩＤ情報が含まれており、携帯電話機６がその電信柱ＩＤ情報を受信することで、携帯電話機６の記憶手段１６に記憶されている広告情報の中から、受信した電信柱ＩＤ情報と関係付けられた広告情報の抽出を行なう。（ステップＳ２）
【００２２】
次に、記憶手段１６から抽出された広告情報を、携帯電話機６の表示手段１５に自動的に表示させる。（ステップＳ３）
また、携帯電話機６の表示手段１５に表示させる広告情報は、表示手段１５の全面を使用して表示させるようにしてもよいし、また、予め定められた所定に領域部分だけに広告情報の表示を行なうように設定してもよい。
このように広告の表示領域については、表示設定を変更できるようにことが好ましい。
【００２３】
また、本発明の提供情報表示システムにおいては、図１に示すように、電信柱１ａには、花屋の広告が表示された広告用看板２ａを設け、また電信柱１ｂには、医院の広告が表示された広告用看板２ｂを設けておき、携帯電話機６の所持者５が電信柱１ａに近寄った場合には、電信柱１ａの電信柱ＩＤ情報を受信することで、携帯電話機６の表示手段１５に花屋の広告情報の表示を行い、更に、携帯電話機６の所持者５が電信柱１ｂに近寄った場合には、電信柱１ｂの電信柱ＩＤ情報を受信することで、携帯電話機６の表示手段１５に医院の広告情報の表示を行うようにすることができる。
これにより、１本の電信柱毎に異なる広告情報を選択して提供することができる。
【００２４】
次に、図５のシステムブロック図に基づいて、本発明の第２実施形態に係る提供情報表示システムのシステム構成を説明する。
まず、電信柱に巻き付けられた広告用看板に備え付けられた電波発信装置４０には、電波発信手段４１、電力供給手段４２、記憶手段４３、制御手段４４、などが備えられている。
記憶手段４３には、提供用情報として広告情報が記憶され、電波発信手段４１により広告情報を電波で発信している。
【００２５】
また、携帯電話機６０には、キー入力手段６１、表示手段６２、記憶手段６３、通信手段６４、電池６５、電波受信手段６６、受信情表示制御手段６７、音声制御手段６８、スピーカ６９、マイク７０、制御手段７１などが備えられている。
そして、携帯電話機６０は、電波発信装置４０から発信された広告情報を電波受信手段６６で受信すると、受信情表示制御手段６７によりその受信した広告情報を表示手段６３に表示させる機能を有している。
【００２６】
本発明の第２実施形態に係る提供情報表示システムでは、広告情報を電波発信装置４０から直接に携帯電話機６０に対して発信させることで、携帯電話機６０の表示手段に受信した広告情報を表示させることで、広告情報の提供を行なえるようにしてある。
【００２７】
次に、本発明の第２実施形態に係る提供情報表示システムの処理手順を説明する。
携帯電話機６０の所持者５が電信柱に近寄り、電信柱に巻き付けられた広告用看板に備えられた電波発信装置４０が発信している電波の受信エリア内に入ることで、携帯電話機６０がその電波を受信する。
電波発信装置４０が発信している電波には、広告情報が含まれており、携帯電話機６０がその広告情報を受信した後に、携帯電話機６０の表示手段６２に自動的に表示させる。
【００２８】
上記のように本発明の提供情報表示システムでは、各々の電信柱毎に、それらの電信柱が設置されている場所の近くを歩いている人に向けて情報の提供を行なうことができるので、広告主にとってもっとも効果的な場所にある電信柱から、所望の広告情報を提供することができる。
【００２９】
尚、上記の実施形態では、携帯端末として携帯電話機を用いた例について説明したが、携帯電話機に限定されるものではなく、同様の機能を有する他の携帯端末を用いてもよい。
【図面の簡単な説明】
【００３０】
【図１】本発明の第１実施形態に係る提供情報表示システムの概要を説明する図である。
【図２】本発明の第１実施形態に係る提供情報表示システムのシステムブロック図である。
【図３】本発明の第１実施形態に係る提供情報表示システムにおいて、携帯電話機に表示した広告の一例を示す図である。
【図４】本発明の第１実施形態に係る提供情報表示システムの処理手順を説明するフローチャートである。
【図５】本発明の第２実施形態に係る提供情報表示システムのシステムブロック図である。
【符号の説明】
【００３１】
１ａ，１ｂ  電信柱
２ａ，２ｂ  広告用看板
３ａ，３ｂ  広告用の表示
４ａ，４ｂ  電波発信装置
５  携帯電話機の所持者
６  携帯電話機
７  電波
８，４１  電波発信手段
９，４２  電力供給手段
１０，１６，４３，６３  記憶手段
１１，２４，４４，７１  制御手段
１２  送電線
１３  電信柱ＩＤ情報
１４，６１  キー入力手段
１５，６２  表示手段
１７，６４  通信手段
１８，６５  電池
１９，６６  電波受信手段
２０  表示情報抽出手段
２１．６８  音声制御手段
２２，６９  スピーカ
２３，７０  マイク
６７  受信情報表示制御手段
【図１】
2006171491.tif 000003
【図２】
2006171491.tif 000004
【図３】
2006171491.tif 000005
【図４】
2006171491.tif 000006
【図５】
2006171491.tif 000007